(57)【要約】【課題】簡易な構成によってコスト低減を図りつつも高い信頼性を備え、天井又は壁等の取付領域において面発光照明装置の取付位置を自在に変更することができる照明システムを提供すること。【解決手段】面発光パネル、前記面発光パネルを収納する筐体、及び前記面発光パネルの光出射方向とは反対側に向かって前記筐体から突出し且つ前記面発光パネルに電気的に接続された複数のプラグを備える面発光照明部と、前記複数のプラグが嵌挿される複数のジャックを備え、前記ジャックを介して前記面発光照明部への給電及び前記面発光照明部の固定をなす照明取付部と、を有し、前記複数のジャック及び前記複数のプラグのそれぞれは、単一電極を構成し且つ所定の間隔にて周期的に配設され、前記複数のジャックのそれぞれは、隣接して配設された他のジャックの少なくとも１つに対して極性が異なるように、２つの異なる極性を備える電源に接続されること。【選択図】図１
2015028853.tif 000002
【特許請求の範囲】
【請求項１】
面発光パネル、前記面発光パネルを収納する筐体、及び前記面発光パネルの光出射方向とは反対側に向かって前記筐体から突出し且つ前記面発光パネルに電気的に接続された複数のプラグを備える面発光照明部と、
前記複数のプラグが嵌挿される複数のジャックを備え、前記ジャックを介して前記面発光照明部への給電及び前記面発光照明部の固定をなす照明取付部と、を有し、
前記複数のジャック及び前記複数のプラグのそれぞれは、単一電極を構成し且つ所定の間隔にて周期的に配設され、
前記複数のジャックのそれぞれは、隣接して配設された他のジャックの少なくとも１つに対して極性が異なるように、２つの異なる極性を備える電源に接続されることを特徴とする照明システム。
【請求項２】
前記複数のジャックのそれぞれは、嵌挿される前記プラグの保持及び保持解除をなす保持機構を備えることを特徴とする請求項１に記載の照明システム。
【請求項３】
前記保持機構は、前記ジャックの電極部が備える付勢手段により前記面発光照明部の固定をなすことを特徴とする請求項２に記載の照明システム。
【請求項４】
前記ジャックの数量は、前記プラグの数量よりも多いことを特徴とする請求項１乃至３のいずれか１項に記載の照明システム。
【請求項５】
前記複数のジャックのそれぞれは、最も近接して配設された他のジャックの全てに対して極性が異なるように、前記電源に接続されることを特徴とする請求項１乃至４のいずれか１項に記載の照明システム。
【請求項６】
前記複数のジャックのそれぞれは、マトリックス状に配設されていることを特徴とする請求項１乃至５のいずれか１項に記載の照明システム。
【請求項７】
前記複数のジャックのそれぞれは、等間隔にて配設されていることを特徴とする請求項６に記載の照明システム。
【請求項８】
前記照明取付部は、前記ジャックの配設面に前記ジャックに対して前記プラグを案内する案内機構を備えることを特徴とする請求項１乃至７のいずれか１項に記載の照明システム。
【請求項９】
前記案内機構は、前記ジャックに向かって傾斜した凹部を備えることを特徴とする請求項８に記載の照明システム。
【請求項１０】
前記案内機構は、前記ジャックの配設面に形成されたスリットを備えることを特徴とする請求項８又は９に記載の照明システム。
【請求項１１】
前記照明取付部は、天井、壁、又は床を構成する部材であって、前記部材に前記ジャックが配設されていることを特徴とする請求項１乃至１０のいずれか１項に記載の照明システム。
【請求項１２】
前記照明取付部は、天井、壁、及び床に対して着脱自在であることを特徴とする請求項１乃至１０のいずれか１項に記載の照明システム。
【発明の詳細な説明】
【技術分野】
【０００１】
本発明は、面発光照明を備える照明システムに関する。
【背景技術】
【０００２】
従来から、照明装置として白熱電球や蛍光灯が広く用いられている。これに対し、近年においては、面発光照明装置がそのソフトな印象の光や省エネルギー性能などの理由から次世代照明として注目を浴びており、有機エレクトロルミネッセンス（有機ＥＬ（Electro Luminescence）、ＯＥＬ：Organic Electro Luminescence）、無機エレクトロルミネッセンス、又は発光ダイオードと導光板とを組合せたものが開発されている。中でも有機ＥＬは非常に薄く、機器の小型軽量化が可能であり、発熱も小さいといった点で注目されている。
【０００３】
有機ＥＬとは、有機物質からなる発光材料に電圧を印可してエネルギーを付与し、励起された当該発光材料が元の状態に戻る際に、光としてエネルギーを放出する現象のことをいう。有機ＥＬ技術を用いた発光素子である有機ＥＬ発光素子には、有機物質からなる発光材料を含む有機層と、当該有機層を挟むように対向した２つの電極（陰極及び陽極）と、を基板上に順次積層した構造が一般的に用いられている。
【０００４】
従来の白熱電球や蛍光灯のような照明装置を天井等に取り付ける方法としては、様々な取付手法が存在している。また、照明装置の取付位置を変えることにより、使用用途に応じた様々な演出を可能にしている。照明装置の取付位置を変える方法は、例えば、特許文献１及び２に開示されている。具体的には、特許文献１には、ライティングダクトと呼ばれるレール状の給電レールに照明装置を取付け、当該給電レールに沿って照明装置の取付位置を変更する取付方法が開示されている。また、特許文献２には、天井又は壁等に取付面に複数のジャックが配設され、当該ジャックのいずれかに対して照明装置を選択的に取り付けることにより、照明装置の取付位置を変更することが開示されている。
【先行技術文献】
【特許文献】
【０００５】
【特許文献１】実用新案登録第３１１０９２５号公報
【特許文献２】特許第４８８２８３２号公報
【発明の概要】
【発明が解決しようとする課題】
【０００６】
しかしながら、特許文献１に開示されているようなライティングダクトを用いる取付方法においては、照明装置の取付位置が当該ライティングダクトの直下に限られることになり、一方向に伸びるライティングダクトでは、照明装置の取付位置が一方向のみにしか変更することができず、照明装置の使用目的に応じた多彩な取付位置の変更ができない。一方で、多方向に伸びるライティングダクトを使用すれば、様々な取付位置に照明装置を配置することができるが、ライティングダクトの構造が複雑となり、ライティングダクトの製造コスト、取付時間及び取付コストが増加することになる。
【０００７】
また、特許文献２における取付方法においては、１つのジャックに１つの照明装置を取り付けるため、１つのジャックに内に複数の電極が配置されており、当該複数の電極を介して照明装置に対する所望の電力供給が行われている。しかしながら、各電極間距離が非常に短く（例えば、数ｍｍ程度）、ジャック内に異物が混入すると短絡が発生し、照明装置の故障に繋がる問題がある。
【０００８】
更に、特許文献１における取付方法においては、１つの照明装置が１本のケーブルを介してライティングダクトに取り付けられており、また特許文献２における取付方法においては、１つのジャックに１つの照明装置が取り付けられている。このような取付方法は、小型の電球等の取り付けには適しているものの、広い発光面を有するような面発光照明装置を取り付けると、当該面発光照明装置が傾いてしまい、容易且つ高精度に面発光照明装置を取り付けることが困難となる。
【０００９】
本発明はこのような課題に鑑みてなされたものであり、その目的とするところは、簡易な構成によってコスト低減を図りつつも高い信頼性を備え、天井又は壁等の取付領域において面発光照明装置の取付位置を自在に変更することができる照明システムを提供することにある。
【課題を解決するための手段】
【００１０】
上述した目的を達成するため、本発明の照明システムは、面発光パネル、前記面発光パネルを収納する筐体、及び前記面発光パネルの光出射方向とは反対側に向かって前記筐体から突出し且つ前記面発光パネルに電気的に接続された複数のプラグを備える面発光照明部と、前記複数のプラグが嵌挿される複数のジャックを備え、前記ジャックを介して前記面発光照明部への給電及び前記面発光照明部の固定をなす照明取付部と、を有し、前記複数のジャック及び前記複数のプラグのそれぞれは、単一電極を構成し且つ所定の間隔にて周期的に配設され、前記複数のジャックのそれぞれは、隣接して配設された他のジャックの少なくとも１つに対して極性が異なるように、２つの異なる極性を備える電源に接続されることを特徴とする。
【００１１】
上述した照明システムにおいて、前記複数のジャックのそれぞれは、嵌挿される前記プラグの保持及び保持解除をなす保持機構を備えていてもよい。また、このような照明システムにおいて、前記保持機構は、前記ジャックの電極部が備える付勢手段により前記面発光照明部の固定をなしてもよい。
【００１２】
上述したいずれかの照明システムにおいて、前記ジャックの数量は、前記プラグの数量よりも多くもてよい。
【００１３】
上述したいずれかの照明システムにおいて、前記複数のジャックのそれぞれは、最も近接して配設された他のジャックの全てに対して極性が異なるように、前記電源に接続されていてもよい。
【００１４】
上述したいずれかの照明システムにおいて、前記複数のジャックのそれぞれは、マトリックス状に配設されていてもよい。また、このような照明システムにおいて、前記複数のジャックのそれぞれは、等間隔にて配設されていてもよい。
【００１５】
上述したいずれかの照明システムにおいて、前記照明取付部は、前記ジャックの配設面に前記ジャックに対して前記プラグを案内する案内機構を備えていてもよい。また、このような照明システムにおいて、前記案内機構は、前記ジャックに向かって傾斜した凹部を備えていてもよい。更にこれらの照明システムにおいて、前記案内機構は、前記ジャックの配設面に形成されたスリットを備えていてもよい。
【００１６】
上述したいずれかの照明システムにおいて、前記照明取付部は、天井、壁、又は床を構成する部材であって、前記部材に前記ジャックが配設されていてもよく、天井、壁、及び床に対して着脱自在であってもよい。
【発明の効果】
【００１７】
本発明に係る照明システムによれば、簡易な構成によってコスト低減を図りつつも高い信頼性を備えることができ、更には天井又は壁等の取付領域において面発光照明装置の取付位置を自在に変更することができる。
【図面の簡単な説明】
【００１８】
【図１】実施例に係る照明システムの斜視図である。
【図２】実施例に係る有機ＥＬ照明の側面図である。
【図３】実施例に係る有機ＥＬ照明の背面図である。
【図４】図３の線IV−IVに沿った有機ＥＬ照明の断面図である。
【図５】実施例に係る有機ＥＬ照明を構成する有機ＥＬパネルの斜視図である。
【図６】実施例に係る有機ＥＬ照明を構成する有機ＥＬパネルの断面図である。
【図７】実施例に係る有機ＥＬ照明に設けられたプラグの外形を示す部分拡大側面図である。
【図８】実施例に係る照明取付部の部分的な正面図である。
【図９】図８の線IX-IXに沿った照明取付部の断面図である。
【図１０】実施例に係る照明取付部を構成するジャックの部分拡大断面図である。
【図１１】実施例に係る照明システムの電気的回路図である。
【図１２】実施例に係る照明システムの使用状態の変化を説明するための照明システムの正面図である。
【図１３】実施例に係る照明システムにおいて複数の有機ＥＬ照明を取り付けた場合を説明するための照明システムの正面図である。
【図１４】図８と同様にして示す変形例に係る照明取付部の部分的な正面図である。
【図１５】図８と同様にして示す変形例に係る照明取付部の部分的な正面図である。
【図１６】図８と同様にして示す変形例に係る照明取付部の部分的な正面図である。
【図１７】図８と同様にして示す変形例に係る照明取付部の部分的な正面図である。
【図１８】図８と同様にして示す変形例に係る照明取付部の部分的な正面図である。
【図１９】図８と同様にして示す変形例に係る照明取付部の部分的な正面図である。
【図２０】図１９の線XX-XXに沿った照明取付部の断面図である。
【図２１】図８と同様にして示す変形例に係る照明取付部の部分的な正面図である。
【図２２】図２１の線XXII-XXIIに沿った照明取付部の断面図である。
【発明を実施するための形態】
【００１９】
以下、図面を参照し、本発明による照明システムの実施の形態について、実施例又は変形例に基づき詳細に説明する。なお、本発明は以下に説明する内容に限定されるものではなく、その要旨を変更しない範囲において任意に変更して実施することが可能である。また、実施例又は変形例の説明に用いる図面は、いずれも本発明による照明システム又はその構成部材を模式的に示すものであって、理解を深めるべく部分的な強調、拡大、縮小、又は省略等を行っており、各構成部材の縮尺や形状等を正確に表すものとはなっていない場合がある。更に、実施例又は変形例で用いる様々な数値は、いずれも一例を示すものであり、必要に応じて様々に変更することが可能である。
【００２０】
＜実施例＞
先ず、図１を参照しつつ、本発明の実施例に係る照明システム１の全体的な構成を説明する。図１は、本実施例に係る照明システム１の斜視図である。
【００２１】
図１に示すように、本実施例に係る照明システム１は、供給された電力に応じて所望の光を出射する面発光照明部として機能する直方体状の有機ＥＬ照明２と、有機ＥＬ照明２への給電及び固定をなす照明取付部３と、から構成されている。ここで、照明取付部３は、天井板４、及び天井板４に埋め込まれた複数のジャック５から構成されている。図１においては、壁と天井との接線方法であって有機ＥＬ照明２の発光面の一方向（長辺方向）をＸ方向、壁と天井との接線方法であって当該一方向に直交する方向（短辺方向）をＹ方向、高さ方向をＺ方向と定義している。
【００２２】
なお、照明システム１の構成は、図１に示すような天井に有機ＥＬ照明２を取り付けるものに限定されることなく、屋内外の壁、又は床に有機ＥＬ照明２を取り付けるものであってもよい。このような場合には、照明取付部３が、屋内外の壁、又は床を構成する部材を含み、壁又は床にジャック５が配設されることになる。
【００２３】
次に、図２乃至図１１を参照しつつ、本実施例に係る照明システム１の各構成部材について詳細に説明する。
【００２４】
（有機ＥＬ照明の構成）
先ず、有機ＥＬ照明２の構成について、図２乃至図７を参照しつつ詳細に説明する。ここで、図２は有機ＥＬ照明２のＸＺ平面図（側面図）であり、図３は有機ＥＬ照明２のＸＹ平面図（背面図）であり、図４は図３の線IV−IVに沿った有機ＥＬ照明２の断面図である。また、図５は有機ＥＬ照明２を構成する有機ＥＬパネルの斜視図であり、図６は当該有機ＥＬパネルの断面図である。更に、図７は有機ＥＬ照明２に設けられたプラグの外形を示す部分拡大側面図である。なお、各図面におけるＸ方向、Ｙ方向、Ｚ方向のそれぞれは、図１のＸ方向、Ｙ方向、Ｚ方向に対応している。
【００２５】
図２乃至図４から分かるように、本実施例に係る有機ＥＬ照明２は、面発光パネルである平板状の有機ＥＬパネル６と、有機ＥＬパネル６を収納するための筐体７と、各種の電気的な回路が形成された回路基板８と、回路基板８から突出した４本のプラグ９ａ〜９ｄ（以下、いずれかを特定しない場合には単にプラグ９とも称する）と、プラグ９を露出させつつ回路基板８を被覆する基板カバー１０と、を有している。ここで、回路基板８は、図示せず配線等によって有機ＥＬパネル６と電気的に接続され、プラグ９は、回路基板８及び当該配線等を介して有機ＥＬパネル６と電気的に接続されている。なお、詳細な回路構成については、追って説明する。
【００２６】
図５に示すように、有機ＥＬパネル６は、透明基板１１、有機ＥＬ発光素子１２、光拡散部１３、及び封止部１４から構成されている。また、有機ＥＬ発光素子１２は、発光色が赤色である有機ＥＬ発光素子１２Ｒ、発光色が緑色である有機ＥＬ発光素子１２Ｇ、発光色が青色である有機ＥＬ発光素子１２Ｂの３種類に分類される。
【００２７】
本実施例において、透明基板１１は、ガラス製の基板である。なお、透明基板１１は、可視光を透過する特性を有する基板であればよく、例えば、ポリエステル、ポリメタクリレート、ポリカーボネート、ポリイミド、ポリエチレンテレフタレート、ポリエチレンナフタレート又はポリスルホン等の透明な樹脂；セラミックスなどから構成されてもよい。
【００２８】
より具体的な有機ＥＬパネル６の構成として、透明基板１１の有機ＥＬ発光素子形成面１１ａ上には、有機ＥＬ発光素子１２Ｒ、有機ＥＬ発光素子１２Ｇ、及び有機ＥＬ発光素子１２Ｂが各々複数個ずつ、隣接する素子同士が互いに離間してストライプ状に並設されている。これらの有機ＥＬ発光素子は、有機ＥＬ発光素子１２Ｒ、１２Ｇ、１２Ｂの順序で繰り返して並置されている。このような構成により、有機ＥＬ発光素子１２Ｒから放射される赤色の光、有機ＥＬ発光素子１２Ｇから放射される緑色の光、及び有機ＥＬ発光素子１２Ｂから放射される青色の光を合成し、有機ＥＬパネル６から全体的に均一色の合成光を放射することになる。なお、各色の光を放射する有機ＥＬ発光素子１２Ｒ、１２Ｇ、１２Ｂのそれぞれの個数は１個ずつであってもよいが、発光面の拡大化及び有機ＥＬパネル６の高輝度化及び良好な光の混合を図る場合には、多くの有機ＥＬ発光素子１２Ｒ、１２Ｇ、１２Ｂを並置することが好ましい。また、各有機ＥＬ発光素子は、各有機ＥＬ発光素子の間に絶縁性の樹脂等からなる隔壁（図示せず）を設けることによって離間させられていてもよい。
【００２９】
図６に示すように、発光色が赤色である有機ＥＬ発光素子１２Ｒは、透明基板１１上に形成された陽極（透明電極）１５Ｒ、陽極１５Ｒ上に形成された有機層１６Ｒ、及び有機層１６Ｒ上に形成された陰極（金属電極）１７Ｒから構成されている。同様に、発光色が緑色である有機ＥＬ発光素子１２Ｇは、透明基板１１上に形成された陽極（透明電極）１５Ｇ、陽極１５Ｇ上に形成された有機層１６Ｇ、有機層１６Ｇ上に形成された陰極（金属電極）１７Ｇから構成され、発光色が青色である有機ＥＬ発光素子１２Ｂは、透明基板１１上に形成された陽極（透明電極）１５Ｂ、陽極１５Ｂ上に形成された有機層１６Ｂ、有機層１６Ｂ上に形成された陰極（金属電極）１７Ｂから構成されている。なお、陽極１５Ｒ、１５Ｇ、１５Ｂのいずれかを指定しない場合には単に陽極１５と称し、有機層１６Ｒ、１６Ｇ、１６Ｂのいずれかを指定しない場合には単に有機層１６と称し、陰極１７Ｒ、１７Ｇ、１７Ｂのいずれかを指定しない場合には単に陰極１７と称する場合がある。すなわち、本実施例において、透明基板１１上には、各有機ＥＬ発光素子１２を構成する陽極１５、有機層１６及び陰極１７が順次積層されている。
【００３０】
また、陽極１５、有機層１６及び陰極１７の平面形状（すなわち、面積）は略同一である。従って、陽極１５、有機層１６及び陰極１７の側面は同一平面であり、有機ＥＬ発光素子１２の形状は、直方体である。
【００３１】
本実施例においては、陽極１５は、インジウム錫酸化物（ＩＴＯ）から構成されている。このため、陽極１５は、有機層１６に正孔を注入する機能を有し、且つ有機層１６からの発光に対して透光性を備えている。すなわち、陽極１５は、透明電極として機能する。陽極１５の形成は、スパッタリング法や真空蒸着法等により行われる。陽極１５の表面には、陽極１５上の不純物除去や、イオン化ポテンシャルの調整による正孔注入性向上の点から、紫外線照射やオゾン処理をしてから有機層１６を形成することが好ましい。
【００３２】
なお、陽極１５は、インジウム錫酸化物から構成されていることに限定されることなく、有機層１６に正孔を注入する機能を有し、且つ有機層１６からの発光に対して透光性を備えていれば、例えば、インジウム亜鉛酸化物等の金属酸化物、アルミニウム、金、銀、ニッケル、パラジウム、白金等の金属、ヨウ化銅等のハロゲン化金属、カーボンブラック、ポリ（３−メチルチオフェン）、ポリピロール等の導電性高分子等から構成されてもよい。また、陽極１５は、有機ＥＬ発光素子１２Ｒ、１２Ｇ、１２Ｂ毎に異なる材料から構成されてもよい。
【００３３】
図６において図示されていないが、有機ＥＬ発光素子は、更に正孔注入層、正孔輸送層、電子輸送層及び／又は電子注入層を有してもよい。その場合、陽極１５側から正孔注入層、正孔輸送層、発光層、電子輸送層及び電子注入層の順に積層された構造を有していることが好ましい。なお、このような積層構造の場合、有機層１６は正孔注入層、正孔輸送層、発光層、電子輸送層及び電子注入層から構成されてもよく、これらの一部の層から構成されてもよい。すなわち、各層の材料に有機材料を用いるか否かによって、有機層１６を構成する層が異なってくる。
【００３４】
上記正孔注入層及び正孔輸送層は、正孔輸送性の材料から形成されることが好ましく、芳香族アミン誘導体、フタロシアニン誘導体、ポルフィリン誘導体、オリゴチオフェン誘導体、ポリチオフェン誘導体、ベンジルフェニル誘導体、フルオレン基で３級アミンを連結した化合物、ヒドラゾン誘導体、シラザン誘導体、シラナミン誘導体、ホスファミン誘導体、キナクリドン誘導体、ポリアニリン誘導体、ポリピロール誘導体、ポリフェニレンビニレン誘導体、ポリチエニレンビニレン誘導体、ポリキノリン誘導体、ポリキノキサリン誘導体、カーボン等が挙げられる。また、電子輸送層は、電子輸送性の材料から形成されることが好ましく、例えば、８−ヒドロキシキノリンのアルミニウム錯体などの金属錯体、１０−ヒドロキシベンゾ［ｈ］キノリンの金属錯体、オキサジアゾール誘導体、ジスチリルビフェニル誘導体、シロール誘導体、３−ヒドロキシフラボン金属錯体、５−ヒドロキシフラボン金属錯体、ベンズオキサゾール金属錯体、ベンゾチアゾール金属錯体、トリスベンズイミダゾリルベンゼン、キノキサリン化合物、フェナントロリン誘導体、２−ｔ−ブチル−９，１０−Ｎ，Ｎ’−ジシアノアントラキノンジイミン、ｎ型水素化非晶質炭化シリコン、ｎ型硫化亜鉛、ｎ型セレン化亜鉛などが挙げられる。電子注入層は、仕事関数の低い金属からなることが好ましい。例としては、ナトリウムやセシウム等のアルカリ金属、バリウムやカルシウムなどのアルカリ土類金属などが挙げられる。
【００３５】
上記発光層に用いられる発光材料としては、以下のものが挙げられる。赤色発光を与える発光材料としては、例えば、ＤＣＭ（４−（ｄｉｃｙａｎｏｍｅｔｈｙｌｅｎｅ）−２−ｍｅｔｈｙｌ−６−（ｐ−ｄｉｍｅｔｈｙｌａｍｉｎｏｓｔｙｒｙｌ）−４Ｈ−ｐｙｒａｎ）系化合物、ベンゾピラン誘導体、ローダミン誘導体、ベンゾチオキサンテン誘導体、アザベンゾチオキサンテン等が挙げられる。また、緑色発光を与える発光材料としては、例えば、キナクリドン誘導体、クマリン誘導体、Ａｌ（Ｃ9Ｈ6ＮＯ）3等のアルミニウム錯体等が挙げられる。更に、青色発光を与える発光材料としては、例えば、ナフタレン、ペリレン、ピレン、アントラセン、クマリン、ｐ−ビス（２−フェニルエテニル）ベンゼン及びそれらの誘導体等が挙げられる。なお、上述した発光材料は、いずれか１種類のみを用いてもよく、２種類以上を任意の組み合わせ及び比率で併用してもよい。
【００３６】
本実施例においては、陰極１７は、透光性を有する必要がないため、アルミニウムから構成されている。すなわち、陰極１７は金属電極である。陰極１７の形成は、スパッタリング法や真空蒸着法等により行われる。なお、陰極１７は、アルミニウムに限定されること無く、例えば、スズ、マグネシウム、インジウム、カルシウム、銀等の金属又はそれらの合金等が用いられる。具体例としては、マグネシウム−銀合金、マグネシウム−インジウム合金、アルミニウム−リチウム合金等の低仕事関数の合金電極等が挙げられる。また、陰極１７は、有機ＥＬ発光素子１２Ｒ、１２Ｂ、１２Ｇ毎に異なる材料から構成されてもよい。
【００３７】
図５及び図６に示すように、光拡散部１３は、透明基板１１の有機ＥＬ発光素子非形成面１１ｂの全面を覆うように形成されている。光拡散部１３は、有機ＥＬ発光素子１２から放射される各色の光を拡散させ、均一に混色させる効果がある。このような効果により、ガラス基板である透明基板１１と光拡散部１３とからなる部材は、全体が単一の光源として機能する。本実施例において、光拡散部１３は透明樹脂に微粒子を分散したフィルムから構成されている。なお、光拡散部１３は、このフィルムに限定されることなく、例えば、基板表面を粗面化することによっても形成できる。
【００３８】
上述したように、透明基板１１は各有機ＥＬ発光素子１２から放射された各色の光を透過する特性を備えている。このため、図６に示すように、各有機ＥＬ発光素子１２から放射された光は、透明基板１１及び光拡散部１３を透過して、有機ＥＬ面発光パネル２から外部へ放射される。
【００３９】
図５及び図６に示すように、封止部１４は、各有機ＥＬ発光素子１２を覆い、各有機ＥＬ発光素子１２の発光材料が大気によって酸化劣化すること等を防止する機能がある。また、封止部１４は空隙１８を充填し、透明基板１１の有機ＥＬ発光素子形成面１１ａが露出しないように形成されている。本実施例において、封止部１４は、透光性を備えるエポキシ樹脂である。なお、封止部１４は、エポキシ樹脂以外にもシリコーン樹脂等の透光性を備える他の透明樹脂であってもよい。
【００４０】
また、封止部１４は、上述したような樹脂から構成されていることに限定されることはない。例えば、封止部１４は、複数の有機ＥＬ発光素子１２を全体的に覆うようなプラスチック等の透光性部材であってもよい。このような場合には、空隙１８は、封止部１４によって充填されることがない。
【００４１】
なお、本実施例においては、ボトムエミッションタイプの有機ＥＬパネル６を用いたが、トップエミッションタイプの有機ＥＬ面発光パネルを用いてもよい。この場合には、複数の有機ＥＬ発光素子１２を支持する透明基板１１に代えて不透明な各種の支持基板を用いることができる。層構成は陽極から陰極までをボトムエミッションタイプとは逆向きに形成すればよい。また、上述した実施例においては、有機ＥＬ発光素子１２ごとに発光色の異なる有機層１６が用いられていたが、全ての有機ＥＬ発光素子１２の有機層１６が、赤色光用の発光材料、緑色光用の発光材料、及び青色光用の発光材料が均一に分散された高分子分散型のＥＬ材料から構成されてもよい。更に、赤色光用の発光材料からなる層、緑色光用の発光材料からなる層、及び青色光用の発光材料からなる層を積層した積層型の有機ＥＬ発光素子を用いてもよい。
【００４２】
そして、本実施例においては、面発光パネルとして有機ＥＬパネル６を用いたが、無機ＥＬ発光体や、ＬＥＤと導光板とを組み合わせた発光体パネル用いてもよい。また、本実施例において、有機ＥＬパネル６の発光面の形状は長方形であるが、その形状は限定されるものではなく、正方形、円形、楕円形、三角形、又はその他の形状であってもよい。
【００４３】
図２乃至図４から分かるように、筐体７は、直方体状の外形を有するとともに、有機ＥＬパネル６を収納するための開口７ａが形成されている。筐体７は、比較的に強固な材料から形成されていることが好ましく、例えば、プラスチック、樹脂、金属、又はガラス等から構成されている。また、開口７ａのＸＹ方向の寸法は、有機ＥＬパネル２とほぼ同一であって、開口７ａのＸＹ平面形状は長方形であるものの、開口７ａのＺ方向の寸法（すなわち、開口の深さ）は、有機ＥＬパネル６の厚みよりも大きくなっている。これにより、有機ＥＬパネル６と筐体７との間には、Ｚ方向において隙間が生じ、当該隙間に、所望の配線等を収納しておくことができる。なお、有機ＥＬパネル６は、接着剤やネジ止め等により、筐体７に対して強固に固定されることになる。
【００４４】
図２乃至図４、及び図７から分かるように、有機ＥＬパネル２の給電用に用いられるプラグ９は、略円柱状の外形を備えている。本実施例において、プラグ９は、一般的な導電性を備える金属材料（例えば、銅）から構成されている。また、プラグ９は、有機ＥＬ面発光パネルの光出射方向（すなわち、−Ｚ方向）とは反対側（すなわち、Ｚ方向）に向かって筐体７から突出している。更に、図７に示すように、プラグ９の一端部分には、プラグ９の側面に沿って１周する溝１９が形成されている。かかる溝１９は、ジャック５にプラグ９を差し込んだ際に、プラグ９をジャック５内に保持するために用いられる。なお、当該保持の説明は後述するものとする。そして、プラグ９の溝１９が形成されている一端とは反対側に位置する他端は、基板カバー１０内の回路基板８に半田等の接合部材を用いて電気的に接合されている。
【００４５】
また、図３に示すように、プラグ９のそれぞれは、ＸＹ平面において、プラグ９の配設位置を結ぶ線分（破線で示す）によって囲まれた領域が正方形となるように配設されている。すなわち、プラグ９は、正方形状に配設されている。換言すれば、プラグ９のそれぞれは、当該正方形の領域の頂点に配設されている。
【００４６】
更に、プラグ９は、単一電極を構成し、プラス及びマイナスのいずれかの極性を備えることになる。すなわち、プラグ９のそれぞれは、供給される電圧に応じて、正極及び負極のいずれかとして機能する。
【００４７】
なお、本実施例においては、４本のプラグ９ａ〜９ｄを回路基板８に接合しているが、プラグ９の本数は、４本に限定されることはない。プラグ９の本数は、有機ＥＬパネル６への給電の観点から少なくとも２本以上となるが、有機ＥＬ照明２を照明取付部３に確実且つ強固に取り付ける観点からは、その本数を出来る限り多くすることが好ましい。
【００４８】
図２乃至図４から分かるように、回路基板８の外形は平板状であって、ＸＹ平面形状は長方形である。回路基板８には、コンデンサ、抵抗、ダイオード等の各種の電気的な部品（図示せず）が実装されており、所望の回路が形成されている。例えば、回路基板８には、後述する電力制御回路３５が設けられてもよい。本実施例においては、回路基板８は、筐体７の外側表面上に接着剤又はネジ等の固着部材によって固定され、当該部品等の実装が露出しないように基板カバー１０によって被覆されている。これにより、回路基板８における破損及び回路の短絡等の不具合の発生が防止されている。なお、回路基板８は筐体７の開口７ａ内に収納されていてもよく、このような場合には、基板カバー１０が不要となるが、プラグ９が貫通するための貫通孔が筐体７に形成されることになる。
【００４９】
なお、本実施例は本発明の実施形態の一例に過ぎず、使用しうる態様はこれに限定されず、例えば、有機ＥＬ照明２は回路基板８を有していなくてもよい。このような場合には、プラグ９を有機ＥＬパネル５に配線を介して直接的に接続してもよい。
【００５０】
基板カバー１０は、強固且つ絶縁性を備える部材から構成されていることが好ましく、例えば、プラスチック、樹脂、ガラス等の材料から構成されている。また、基板カバー１０は、プラグ９が貫通するための４つの貫通孔が形成されており、当該貫通孔からプラグ９が露出することになる。
【００５１】
なお、本実施例において、有機ＥＬ照明２のＸＹ平面形状（発光面側の平面形状）は、長方形であったが、正方形、他の角形、円形、又は楕円形等の他の形状であってもよい。
【００５２】
（照明取付部の構成）
次に、照明取付部３及びその構成部材について、図８乃至図１０を参照しつつ説明する。図８は、本実施例に係る照明取付部３の部分的な正面図である。図９は、図８の線IX-IXに沿った断面図である。図１０は、本実施例に係る照明取付部３を構成するジャック５の部分拡大断面図である。なお、各図面におけるＸ方向、Ｙ方向、Ｚ方向のそれぞれは、図１のＸ方向、Ｙ方向、Ｚ方向に対応している。
【００５３】
図８及び図９に示すように、照明取付部３は、プラグ９が嵌挿される複数のジャック５をマトリックス状に天井板４に配設した構成を有している。換言すれば、複数のジャック５が、天井板４に等間隔且つ周期的に配設されている。すなわち、天井板４に配設された隣接する４本のジャック５により正方形の領域VIII（Ａ）が形成され、当該正方形の領域がマトリックス状に並置されていることになる。より具体的な構成として、天井板４には、ジャック５が配設されるための複数の貫通孔が等間隔であってマトリックス状に形成され、当該貫通孔にジャック５が嵌挿されている。
【００５４】
ここで、Ｘ方向又はＹ方向に沿って隣接するジャック５の間隔は、隣接するプラグ９の間隔（すなわち、プラグ９ａとプラグ９ｂ又はプラグ９ｃとの間隔、及びプラグ９ｄとプラグ９ｂ又はプラグ９ｃとの間隔）と、同一である。すなわち、プラグ９ａ〜９ｄが同時にジャック５のいずれかに嵌挿することができるように、ジャック５及びプラグ９のそれぞれの間隔が調整されている。
【００５５】
また、図９に示すように、ジャック５の一端は、天井板の第１の面４ａと面一となり、他端は天井板４の第２の面４ｂから離間している。ここで、第１の面４ａとは、屋内空間から目視することできる天井面であり、第２の面４ｂとは天井裏に位置する面である。以上のことから、照明システム１が設けられた屋内の天井を目視した場合に、ジャック５は屋内空間に向かって突出することなく、天井裏の空間に向かって突出している。
【００５６】
図８及び図９から分かるように、天井板４に配設された複数のジャック５は、電気的な接続関係から２種類の第１ジャック群２１及び第２ジャック群２２に分類されている。以下において、第１ジャック群２１を構成するジャック５をジャック５ａとも称し、第２ジャック群２２を構成するジャック５をジャック５ｂとも称する。また、ジャック５ａ、５ｂは、同一列上及び同一行上において、交互に配設されている。すなわち、上述した正方形の領域の対角線上において対向するジャック５同士によって同一の群が構成されている。
【００５７】
本実施例においては、第１ジャック群２１を構成するジャック５ａは、天井裏に設けられた配線を介して外部電源（図示せず）の正極に接続され、第２ジャック群２２を構成するジャック５ｂは、天井裏に設けられた他の配線を介して当該外部電源の負極に接続されている。従って、上述したジャック５ａ、５ｂの配置構成及び外部電源の接続構成を鑑みると、複数のジャック５のそれぞれは、隣接して配設された他のジャックの少なくとも１つに対して極性が異なるように、外部電源の正極又は負極に接続されている。更には、複数のジャック５のそれぞれは、最も隣接して配設された他のジャック５の全てに対して極性が異なるように、外部電源の正極又は負極に接続されている。
【００５８】
図１０に示すように、ジャック５は、プラグ９が嵌挿されるための空洞２３が形成されている。また、空洞２３の内部には、嵌挿されたプラグ９の保持及び保持解除をなす保持機構として機能するとともに、嵌挿されたプラグ９に給電をなす電極部２４が配設されている。
【００５９】
電極部２４は、可撓性を備える金属板から構成されており、嵌挿されたプラグ９の一端を覆って保持することができるように、断面が略Ｕ字状の湾曲した形状（すなわち、開口が形成された形状）を備えている。より具体的には、電極部２４は、天井板４から離間する方向（すなわち、Ｚ方向）に向かって開口径が徐々に一度小さなり、開口径が再度大きくなるような形状を有している。このような電極部２４の形状及び可撓性により、プラグ９の電極部２４の開口内への嵌挿を容易にするとともに、プラグ９の溝１９に電極部２４の開口径が小さくなった部分が当接し、プラグ９を確実に保持することが可能になる。すなわち、保持機構として機能する電極部２４が備える付勢手段（すなわち、可撓性）により、プラグ９が確実に保持され、有機ＥＬ照明２を照明取付部３に確実に固定することができる。また、ジャック５は、上述した可撓性により、保持された状態のプラグ９がジャック５に向かって押圧された場合に、当該保持を解除することができる。
【００６０】
電極部２４は、配線（図示せず）を介して、上述した外部電源に接続されている。ここで、電極部２４は、単一電極であり、プラス及びマイナスのいずれかの極性を備えることになる。具体的には、第１ジャック群２１を構成するジャック５ａの電極部２４が正極となり、第２ジャック群２２を構成するジャック５ｂの電極部２４が負極となる。以上のことを換言すると、ジャック５のそれぞれは単一電極を構成していることになる。
【００６１】
また、電極部２４は、プラグ９を保持した後に、ジャック５内に押し込まれたプラグ９に対して給電を開始することが好ましい。このようにすることで、プラグ９の接続が完了していない状態での通電による感電を防止することができる。
【００６２】
なお、電極部２４は、上述したような形状に限定されることなく、プラグ９を確実に保持することができれば、他の形状であってもよい。例えば、電極部２４は、プラグ９の溝１９の形状に応じて屈曲した２本の金属板から形成されていてもよい。また、電極部２４は、プラグ９を確実に保持するために、プラグ９の形状に応じて、その形状を適宜変更することができる。
【００６３】
また、本実施例においては、電極部２４が保持機構としても機能していたが、電力供給機構と保持機構とを独立して設けてもよい。すなわち、ジャック５の空洞２３内に、プラグ９の溝１９に当接してプラグ９を保持する保持部を設けるとともに、嵌挿されたプラグ９の一端と接触して給電を行う電極部を設けてもよい。この場合、保持部における保持解除の方法としては、バネ等の弾性体を当該保持部とジャック５の側面との間に設け、当該保持部を直接的又は間接的に押圧することによってなされてもよい。
【００６４】
（照明システムの電気的回路構成）
次に、照明システム１の電気的回路構成について、図１１を参照しつつ説明する。ここで、図１１は、本実施例に係る照明システム１の電気的回路図である。
【００６５】
図１１に示すように、照明システム１の有機ＥＬ照明２においては、プラグ９は４つのダイオード３１ａ〜３１ｄから構成されるブリッジ回路３２に接続されている。より具体的には、２本のプラグ９ａ、９ｄがダイオード３１ａとダイオード３１ｂとの間に位置する接続点Ｔ１に接続され、残りの２本のプラグ９ｂ、９ｃがダイオード３１ｃとダイオード３１ｄとの間に位置する接続点Ｔ２に接続されている。すなわち、図３を参照すると、４本のプラグ９のそれぞれは、図３に示す正方形の領域の対角線上において対向する他のプラグと組をなしてブリッジ回路３２に接続されている。ここで、プラグ９ａ、９ｄによって第１プラグ群３３が形成され、プラグ９ｂ、９ｃによって第２プラグ群３４が形成されている。換言すれば、４本のプラグ９のそれぞれは、最も隣接して配設された２本のプラグ９によって形成される組とは異なる組を形成している。
【００６６】
また、ブリッジ回路３２は、電力制御回路３５に接続されている。具体的には、ブリッジ回路３２のダイオード３１ｂとダイオード３１ｃとの間に位置する接続点Ｔ３が電力制御回路３５の第１入力端子３５ａに接続され、ブリッジ回路３２のダイオード３１ａとダイオード３１ｄとの間に位置する接続点Ｔ４が電力制御回路３５の第２入力端子３５ｂに接続されている。電力制御回路３５は、ブリッジ回路３２から供給される電力を所望の電力に制御し、かかる制御後の所望の電力を各有機ＥＬ発光素子１２に供給する。例えば、電力制御回路３５は、外部から供給される制御信号に応じて供給する電力を制御し、有機ＥＬパネル６から照射する光の輝度、光量等の特性を調整する。また、電力制御回路３５は、正出力端子３５ｃ、及び負出力端子３５ｄを備えておいる。正出力端子３５ｃは有機ＥＬ発光素子１２の陽極１５に接続され、負入力端子２５ｄは有機ＥＬ発光素子１２の陰極１７に接続されている。
【００６７】
更に、照明取付部３においては、上述した正方形の領域VIII（Ａ）の対角線上において互いに対向する複数のジャック５ａから第１ジャック群２１が構成されるとともに、当該対角線上において互いに対向する複数のジャック５ｂから第２ジャック群２２が構成されている。そして、第１ジャック群２１のジャック５ａのそれぞれは直流電源である外部電源３６の正極に接続され、第２ジャック群２２のジャック５ａのそれぞれは外部電源３６の負極に接続されている。すなわち、第１ジャック群２１及び第２ジャック群２２は、互いに異なる極性を備えることになる。
【００６８】
図１１に示す本実施例の１つの電気的な接続形態として、第１プラグ群３３のプラグ９ａ、９ｄが第１ジャック群２１のジャック５ａのいずれかに嵌挿されるとともに、第２プラグ群３４のプラグ９ｂ、９ｃが第２ジャック群２２のジャック５ｂのいずれかに嵌挿されると、プラグ９ａ、９ｄに対して正電圧が供給され、プラグ９ｂ、９ｃに対して負電圧又は接地電圧（０Ｖ）が供給される。すなわち、有機ＥＬ照明２を照明取付部３に取り付けると、第１プラグ群３３のプラグ９ａ、９ｄと第２プラグ群３４のプラグ９ｂ、９ｃとは、ジャック５を介して外部電源３６に接続され、互いに異なる極性を備えることになる。これにより、電力制御回路３５に正電圧及び負電圧（すなわち、外部電源３６の電力）が供給されることになり、当該電力が所望の電力に制御されて有機ＥＬ発光素子１２のそれぞれに供給されることになる。
【００６９】
本実施例において、プラグ９と電力制御回路３５との間にブリッジ回路３２が設けられているため、第１プラグ群３３のプラグ９ａ、９ｄが第２ジャック群２２のジャック５ｂのいずれかに嵌挿されるとともに、第２プラグ群３４のプラグ９ｂ、９ｃが第１ジャック群２１のジャック５ａのいずれかに嵌挿されるような場合であっても、電力制御回路３５の第１入力端子３５ａには正電圧が供給され、電力制御回路３５の第２入力端子３５ｂには負電圧が供給されることになる。すなわち、本実施例においては、第１ジャック群２１及び第２ジャック群２２の配置関係と、第１プラグ群３３及び第２プラグ群３４の配置関係とが対応し、且つブリッジ回路３２が設けられていることにより、有機ＥＬ照明２を照明取付部３に取り付ける際における各プラグ９の極性の確認作業が不要となる。
【００７０】
なお、プラグ９と電力制御回路３５との間にブリッジ回路３２を配置することなく、電力制御回路３５内にブリッジ回路３２を形成してもよい。また、本実施例のようにプラグ群毎に当該ブリッジ回路接続させることなく、各プラグ９に対して１つのブリッジ回路を接続するようにしてもよい。このようにすれば、プラグ群とジャック群との各配置関係を対応させる必要がなくなる。例えば、ジャック群においては、上述した正方形の領域VIII（Ａ）の対角線上において対向するジャック５同士よって各群を構成するように電気的配線を行うものの、プラグ群においては、Ｘ方向又はＹ方向において隣接するプラグ９同士によって各群を構成するように電気的配線を行うことができる。
【００７１】
更に、第１プラグ群３３のプラグ９ａ、９ｄを第１ジャック群２１のジャック５ａのいずれかに必ず嵌挿し、第２プラグ群３４のプラグ９ｂ、９ｃを第２ジャック群２２のジャック５ｂのいずれかに必ず嵌挿することにすれば（すなわち、プラグ群ごとに嵌挿するジャック群を予め決定した上、ジャック５及びプラグ９の配置関係を決定すれば）、ブリッジ回路３２が不要となる。このような場合、第１プラグ群３３のプラグ９ａ、９ｄが第２ジャック群２２のジャック５ｂに嵌挿されないように、嵌挿防止機構を設ける必要がある。
【００７２】
そして、電力制御回路３５は、単に電力のみを制御する回路のみならず、電力変換回路を含んでいてもよい。例えば、外部電源３６が交流電源である場合に、入力される交流電力を直流電力に変換して有機ＥＬパネル６に供給するように、電力制御回路３５はＡＣ−ＤＣコンバータを含んでいてもよい。ここで、ＡＣ−ＤＣコンバータがブリッジ回路を有する場合は、有機ＥＬ照明２において、ジャック５及びプラグ９の極性を考慮する必要がなくなり、電力制御回路３５の前にブリッジ回路３２を設けなくともよい。
【００７３】
また、本実施例おいては電力制御回路３５が有機ＥＬ照明２側に設けられていたが、電力制御回路３５を照明取付部３側に設けてもよい。例えば、外部電源３６とジャック５との間に設けるように、天井裏等のスペース又は外部電源３６に隣接する位置に配設してもよい。
【００７４】
（照明システムの使用態様）
次に、図１２及び図１３を参照しつつ、本実施例に係る照明システム１の使用態様について説明する。ここで、図１２は本実施例に係る照明システム１の使用状態の変化を説明するための照明システム１の正面図であり、図１３は本実施例に係る照明システム１において複数の有機ＥＬ照明２を取り付けた場合を説明するための照明システム１の正面図である。
【００７５】
図１２の矢印XXII（Ａ）に示すように、本実施例に係る照明システム１においては、有機ＥＬ照明２をＹ方向に平行移動することができる。また、図示していないものの、Ｘ方向への平行移動、及びＸＹ方向への移動を行うことができる。ここで、有機ＥＬ照明２の移動の際には、単に有機ＥＬ照明２を照明取付部３から取り外し（具体的には、電極部２４における保持解除）を行い、所望の移動先のジャック５に対してプラグ９を嵌挿し、プラグ９を電極部２４によって保持させるだけでよい。
【００７６】
また、図１２の矢印XXII（Ｂ）に示すように、本実施例に係る照明システム１においては、有機ＥＬ照明２をＸＹ平面において９０度回転させて取り付けることができる。この際、有機ＥＬ照明２を９０度回転させつつ、Ｘ方向若しくはＹ方向、又はＸＹ方向に移動させることもできる。ここで、有機ＥＬ照明２の移動の方法は、上述した矢印XXII（Ａ）に係る場合と同様である。
【００７７】
本実施例においては、プラグ９の数量に対してジャックの５の数量が多くなっている。また、上述したように、ジャック間距離とプラグ間距離とが等しく、各ジャック群が上述した正方形の領域の対角線上において対向するジャック５によって形成されるのと同様に、各プラグ群が上述した正方形の領域の対角線上において対向するプラグ９によって形成されているため、ジャック群及びプラグ群の配置関係が対応しており、更には電力制御回路３５内に当該ブリッジ回路が形成されている。このため、各プラグ９の極性及びジャック５の極性を考慮することなく、上述したようなＸ方向、Ｙ方向、及び両方向への移動、並びに回転移動を、容易且つ単純に行うことができる。
【００７８】
更に、図１３に示すように、本実施例に係る照明システム１においては、複数の有機ＥＬパネル２を照明取付部３に取り付け、より大きな発光面を照明取付部３に形成するようにしてもよい。この場合に、複数の有機ＥＬパネル２によって、所望の形状（例えば、図１３に示すような略Ｕ字状）を形成することで、照明システム１のデザイン性を向上させてもよい。これにより、照明システム１の使用用途に応じて、複数の有機ＥＬパネル２による様々な演出が可能になる。
【００７９】
（本実施例の効果）
以上のことから、本実施例の照明システム１は、面発光パネルである有機ＥＬパネル６、有機ＥＬパネル６を収納する筐体７、及び有機ＥＬパネル６の光出射方向とは反対側に向かって筐体７から突出し且つ有機ＥＬパネル６に電気的に接続された複数のプラグ９を備える面発光照明部である有機ＥＬ照明２と、複数のプラグ９が嵌挿される複数のジャック５を備え、ジャック５を介して有機ＥＬ照明２への給電及び有機ＥＬ照明２の固定をなす照明取付部３と、を有している。このような照明システム１の構造により、複数のプラグ９によって有機ＥＬ照明２を支えるため、１本当たりのプラグ９が支える重量が軽くなり、有機ＥＬ照明２を確実且つ安定して支えることがき、更には有機ＥＬ照明２に比較的大きな電流を流すことができる。
【００８０】
本実施例の照明システム１においては、複数のジャック５及び複数のプラグ９のそれぞれは、単一電極を構成していることから、１本のジャック５及びプラグ９における短絡を防止することができ、商用電圧のような比較的に高い電圧をジャック５及びプラグ９に印可することができる。また、短絡を防止するための複雑な回路及び装置等が不要となり、照明システム１自体のコスト低減を図ることもできる。
【００８１】
本実施例の照明システム１においては、複数のジャック５のそれぞれは、隣接して配設された他のジャック５の少なくとも１つに対して極性が異なるように、２つの異なる極性を備える外部電源３６に接続されている。特に、本実施例においては、複数のジャック５のそれぞれは、最も近接して配設された他のジャックの全てに対して極性が異なるように、外部電源３６に接続されている。そして、ジャック５の数量は、プラグ９の数量よりも多くなっている。このようなジャック５の数量及び接続構成により、有機ＥＬ照明２を照明取付部３の様々な位置に、容易且つ自在に固定することができる。
【００８２】
本実施例の照明システム１においては、複数のジャック５のそれぞれは、等間隔且つ周期的であってマトリックス状に配設されている。このようなジャック５の配置構成により、有機ＥＬ照明２を所定の方向（例えば、Ｘ方向）に対して９０度、１８０度、又は２７０度回転させることができる。すなわち、照明取付部３に対して、有機ＥＬ照明２を９０度おきの角度で自由に取り付けることができる。
【００８３】
本実施例の照明システム１において、複数のジャック５のそれぞれは、嵌挿されるプラグ９の保持及び保持解除をなす保持機構としても機能する電極部２４を備えている。そして、当該電極部２４は、付勢手段である屈曲特性を利用して有機ＥＬ照明２の固定をなしている。このように、電極部２４は、低コスト且つ簡易な構成を用いつつも、有機ＥＬ照明２を確実且つ強固に保持することができ、更には容易にその保持の解除を行うことができる。
【００８４】
以上のことから、本実施例の照明システム１は、簡易な構成によってコスト低減を図りつつも高い信頼性を備えることができ、更には天井又は壁等の取付領域において有機ＥＬ照明２の取付位置を自在に変更することができる。
【００８５】
＜変形例＞
上述した実施例は、本発明に係る照明システムの一形態に過ぎず、照明システムの構造、並びに構成部材の配置及び構造等を、照明システムの使用用途等に応じて適宜変更することができる。以下において、図１４乃至図２２を参照しつつ、照明システム１を構成する照明取付部３の変形例について説明する。ここで、図１４乃至図１９、及び図２１は、図８と同様にして示す変形例に係る照明取付部３の部分的な正面図である。また、図２０は図１９における線XX-XXに沿った照明取付部３の断面図であり、図２２は図２１における線XXII-XXIIに沿った照明取付部３の断面図である。なお、上述した実施例と同様の構成部材については、同一の符号を付し、その説明を省略する。
【００８６】
先ず、図１４に示すように、変形例に係る照明取付部３において、天井板４に複数のジャック５が等間隔且つ周期的であってマトリックス状に配設されている。ここで、図１４に示す照明取付部３においては、同一列上及び同一行上において配設されたジャック５は、同一のジャック群を構成している。換言すれば、破線で示した正方形の各領域XIV（Ａ）の対角線上において対向するジャック５同士は、異なるジャック群を構成している。すなわち、図１４に示すジャック５の配置は、図８に示すジャック５の配置と比較して、４５度回転させた状態である。
【００８７】
図１４に示すような場合であっても、上述した実施例と同様に、複数のジャック５のそれぞれは、隣接して配設された他のジャックの少なくとも１つに対して極性が異なるように、外部電源の正極又は負極に接続されている。更には、複数のジャック５のそれぞれは、最も隣接して配設された他のジャック５の全てに対して極性が異なるように、外部電源の正極又は負極に接続されている。
【００８８】
図１４に示すような照明取付部３を用いると、有機ＥＬ照明２を壁と天井との接線（Ｘ方向又はＹ方向）に対して４５度回転した状態で取り付けることになり、当該４５度回転した状態から有機ＥＬ照明２を更に９０度、１８０度、又は２７０度回転させることができる。このように有機ＥＬ照明２を取り付けることにより、照明システム１のデザイン性を更に向上又は態様化を図ることができる。更には、天井裏におけるジャック５同士の配線及びジャック５と外部電源３６との配線を容易に行うことができる。
【００８９】
なお、有機ＥＬ照明３に設けられたプラグ９を照明取付部３のジャック５に対応させて、４５度回転させてもよい。このような場合には、有機ＥＬ照明２の取付状態は上述した実施例と同一となり、有機ＥＬ照明２を壁と天井との接線に対して４５度回転していないことになる。
【００９０】
次に、図１５に示すように、隣接するジャック５同士を結ぶ線分（破線で示す）によって囲まれる領域が正六角形となるように、複数のジャック５を天井板４に配設してもよい。すなわち、ジャック５は正六角形状に配設されている。換言すれば、ジャック５のそれぞれは、当該正六角形の領域の頂点に配設されている。
【００９１】
ここで、図１５に示す照明取付部３においては、最も隣接して配設されたジャック同士は、異なるジャック群を構成している。また、同一行上に配設されたジャック５は、第１ジャック群２１を構成するジャック５ａと第２ジャック群２２を構成するジャック５ｂとが交互に配設されている。更に、同一行上に配設されたジャック５は、二つの異なる間隔（距離XV（Ａ）及び距離XV（Ｂ））を周期的に繰り返すように配設されている。そして、同一列上に配設されたジャック５は、同一のジャック群を構成している。
【００９２】
以上のことから、図１５に示すような場合であっても、上述した実施例と同様に、複数のジャック５のそれぞれは、隣接して配設された他のジャックの少なくとも１つに対して極性が異なるように、外部電源の正極又は負極に接続されている。更には、複数のジャック５のそれぞれは、最も隣接して配設された他のジャック５の全てに対して極性が異なるように、外部電源の正極又は負極に接続されている。
【００９３】
図１５に示すような照明取付部３を用いると、有機ＥＬ照明２を任意の取付状態から６０度、１２０度、１８０度、２４０度、３００度回転させることができる。すなわち、有機ＥＬ照明２を６０度おきに回転させることができる。このように有機ＥＬ照明２を取り付けることにより、照明システム１のデザイン性を更に向上又は態様化を図ることができる。
【００９４】
なお、図１５に示すような照明取付部３を用いる場合には、有機ＥＬ照明２に設けられるプラグ９の配置形状は、有機ＥＬ照明２を上述したような回転及びＸＹ方向への移動を容易に行えるように、ジャック５の配置形状に対応させる必要がある。具体的には、プラグ９の配置形状は、正六角形状に配設された６本のジャック５と同様に６本のプラグ９が回路基板８に正六角形状に接合され、隣接するプラグ９同士が異なるプラグ群を構成している。また、２本のプラグ９のみを回路基板に接合させ、当該プラグ９の間隔を隣接するジャック５ａとジャック５ｂとの間隔（距離XV（Ｂ））と同一にしてもよい。
【００９５】
次に、図１６乃至図１８に示すように、隣接する４本のジャック５によって囲まれる領域が長方形となるように、天井板４に複数のジャック５を所定の間隔且つ周期的であってマトリックス状に配設してもよい。
【００９６】
特に、図１６に示す照明取付部３においては、長方形の領域XVI（Ａ）の長辺の両端に位置するジャック５同士は、同一のジャック群を構成している。すなわち、同一行上において配設された全てのジャック５は、同一のジャック群を構成しているものの、同一列上においては、異なるジャック群を構成するジャック５ａ、５ｂが交互に配設されている。以上のことを換言すると、上述した長方形の領域XVI（Ａ）の対角線上において対向するジャック５同士によって異なるジャック群が構成されている。
【００９７】
また、図１７に示す照明取付部３においては、長方形の領域XVII（Ａ）の対角線上において対向するジャック５同士は、同一のジャック群を構成している。すなわち、同一行上及び同一列上においては、異なるジャック群を構成するジャック５ａ、５ｂが交互に配設されている。
【００９８】
以上のことから、図１６及び図１７に示すような場合であっても、上述した実施例と同様に、複数のジャック５のそれぞれは、隣接して配設された他のジャックの少なくとも１つに対して極性が異なるように、外部電源の正極又は負極に接続されている。更には、複数のジャック５のそれぞれは、最も隣接して配設された他のジャック５の全てに対して極性が異なるように、外部電源の正極又は負極に接続されている。
【００９９】
更に、図１８に示す照明取付部３においては、長方形の領域XVIII（Ａ）の短辺の両端に位置するジャック５同士は、同一のジャック群を構成している。すなわち、同一列上において配設された全てのジャック５は、同一のジャック群を構成しているものの、同一行上においては、異なるジャック群を構成するジャック５ａ、５ｂが交互に配設されている。以上のことを換言すると、上述した長方形の領域XVIII（Ａ）の対角線上において対向するジャック５同士によって異なるジャック群が構成されている。
【０１００】
以上のことから、図１８に示すような場合であっても、上述した実施例と同様に、複数のジャック５のそれぞれは、隣接して配設された他のジャック５の少なくとも１つに対して極性が異なるように、外部電源の正極又は負極に接続されている。
【０１０１】
図１６乃至１８に示すような照明取付部３を用いると、有機ＥＬ照明２を回転移動させることはできないもの、Ｘ方向及びＹ方向に自在且つ容易に移動をさせることができる。
【０１０２】
なお、図１６乃至１８に示すような照明取付部３を用いる場合には、有機ＥＬ照明２に設けられるプラグ９の配置形状は、有機ＥＬ照明２をＸ方向及びＹ方向への移動を容易に行えるように、ジャック５の配置形状に対応させる必要がある。具体的には、プラグ９の配置形状は、４本のプラグ９ａ〜９ｄが回路基板８に長方形状に接合されてもよく、この場合には、第１プラグ群３３と第１ジャック群２１とが対向するのと同時に第２プラグ群３４と第２ジャック群２２とが対向するような関係を保つようにプラグ９ａ〜９ｄの配設位置を決定することになる。また、２本のプラグ９のみを回路基板に接合させ、当該プラグ９の間隔を隣接するジャック５ａとジャック５ｂとの間隔と同一にしてもよい。
【０１０３】
次に、図１９及び図２０に示す照明取付部３においては、ジャック５に対してプラグ９を案内する案内機構して機能する凹部４１が、ジャック５の配設面である天井板４の第１の面４ａに形成されている。凹部４１は、その中心にジャック５が位置するように、ジャック５のそれぞれに対して、１つ形成されている。また、凹部４１は、ジャック５に向かって傾斜している。更に、凹部４１のＸＹ平面形状は正方形である。なお、凹部４１のＸＹ平面形状は、正方形に限られることなく、他の角形、円形、又は楕円形であってもよい。
【０１０４】
図２０に示すように、ジャック５の一端は、天井板４の第１の面４ａと面一になっておらず、凹部４１の底面と面一になるように配設されている。また、ジャック５の他端は、上述した実施例と同様に、天井板４の第２の面４ｂから離間して配置されている。
【０１０５】
また、ジャック５に対してプラグ９を案内する案内機構として、図２１及び図２２に示すようなスリット４２をジャック５の配設面である天井板４の第１の面４ａに形成してもよい。図２１に示すように、案内機構として機能するスリット４２は、格子状であって、ジャック５の配設位置において交差するように形成されている。また、図２２においては、スリット４２の断面形状は三角形であるものの、正方形、長方形、半円等の他の形状であってもよい。
【０１０６】
このような凹部４１又はスリット４２である案内機構を照明取付部３を設けることにより、有機ＥＬ照明２を照明取付部３に取り付ける際に、プラグ９とジャック５との細かな位置調整を行うことがなく、プラグ９をジャック５に容易に嵌挿することができる。すなわち、プラグ９が凹部４１に当接することができれば、凹部４１の底面に沿ってプラグ９を移動させることにより、プラグ９をジャック５に容易に近づけることができ、プラグ９及びジャック５の位置を確認することなく、容易且つ短時間で有機ＥＬ照明２を照明取付部３に取り付けることができる。
【０１０７】
なお、ジャック５に対してプラグ９を案内する案内機構としては、上述した凹部４１及びスリット４２を組み合わせたものであってもよい。
【０１０８】
上述した実施例においては、照明取付部３の構成部材として天井板４が含まれていたが、天井板４とは独立した基板を用い、当該基板にジャック５を配設してもよい。そして、ジャック５が配設された基板を天井、壁、床等に対して取り付けてもよい。このよな構造の照明取付部３を用いることで、照明取付部３が天井、壁、床等に対して着脱自在となり、様々な設置場所に対して照明システム１を共用させることができ、照明システム１の導入コストを低減することができる。
【符号の説明】
【０１０９】
１    照明システム
２    有機ＥＬ照明
３    照明取付部
４    天井板
４ａ    第１の面
４ｂ    第２の面
５、５ａ、５ｂ    ジャック
６    有機ＥＬパネル
７    筐体
７ａ    開口
８    回路基板
９、９ａ、９ｂ、９ｃ、９ｄ    プラグ
１０    基板カバー
１１    透明基板
１２    有機ＥＬ発光素子
１３    光拡散部
１４    封止部
１５、１５Ｒ、１５Ｇ、１５Ｂ    陽極
１６、１６Ｒ、１６Ｇ、１６Ｂ    有機層
１７、１７Ｒ、１７Ｇ、１７Ｂ    陰極
１８    空隙
１９    溝
２１    第１ジャック群
２２    第２ジャック群
２３    空洞
２４    電極部
３１ａ、３１ｂ、３１ｃ、３１ｄ    ダイオード
３２    ブリッジ回路３２
３３    第１プラグ群
３４    第２プラグ群
３５    電力制御回路
３５ａ    第１入力端子
３５ｂ    第２入力端子
３５ｃ    正入力端子
３５ｄ    負入力端子
３６    外部電源
４１    凹部
４２    スリット
【図１】
2015028853.tif 000003
【図２】
2015028853.tif 000004
【図３】
2015028853.tif 000005
【図４】
2015028853.tif 000006
【図５】
2015028853.tif 000007
【図６】
2015028853.tif 000008
【図７】
2015028853.tif 000009
【図８】
2015028853.tif 000010
【図９】
2015028853.tif 000011
【図１０】
2015028853.tif 000012
【図１１】
2015028853.tif 000013
【図１２】
2015028853.tif 000014
【図１３】
2015028853.tif 000015
【図１４】
2015028853.tif 000016
【図１５】
2015028853.tif 000017
【図１６】
2015028853.tif 000018
【図１７】
2015028853.tif 000019
【図１８】
2015028853.tif 000020
【図１９】
2015028853.tif 000021
【図２０】
2015028853.tif 000022
【図２１】
2015028853.tif 000023
【図２２】
2015028853.tif 000024